(57)【要約】【課題】例えば、より不都合が少なくなるよう改善された新規な開閉装置を得る。【解決手段】実施形態の開閉装置は、例えば、床面から離れる第一方向に沿って移動することで開口部を開閉する開閉体と、開閉体を巻き取る巻取軸を有した巻取装置と、開閉体の床面側の第一端部と接続され、床面と当接し開閉体とともに開口部を閉じる第一位置と、床面から開閉体とともに第一方向に離間し開口部を開く第二位置と、第二位置の姿勢とは異なりかつ巻取軸に巻き取られない姿勢に収納された第三位置と、の間で移動可能に構成された止水板と、を備える。【選択図】図４
2020020236.tif 000002
【特許請求の範囲】
【請求項１】
床面から離れる第一方向に沿って移動することで開口部を開閉する開閉体と、
前記開閉体を巻き取る巻取軸を有した巻取装置と、
前記開閉体の前記床面側の第一端部と接続され、前記床面と当接し前記開閉体とともに前記開口部を閉じる第一位置と、前記床面から前記開閉体とともに前記第一方向に離間し前記開口部を開く第二位置と、前記第二位置の姿勢とは異なりかつ前記巻取軸に巻き取られない姿勢に収納された第三位置と、の間で移動可能に構成された止水板と、
を備えた、開閉装置。
【請求項２】
前記止水板は、前記第二位置の姿勢と交差した姿勢で前記第三位置に収納された、請求項１に記載の開閉装置。
【請求項３】
前記止水板は、前記開閉体に前記第一端部に沿って延びた第一回転中心回りに回転可能に接続され、前記第二位置から前記第一回転中心回りに回転した姿勢で前記第三位置に収納された、請求項１または２に記載の開閉装置。
【請求項４】
前記止水板の前記第一回転中心回りの回転角度を変更する角度変更機構を備えた、請求項３に記載の開閉装置。
【請求項５】
前記巻取装置は、前記開閉体を収納可能なケーシングを有し、
前記ケーシングは、前記開閉体が出入りする開口部が設けられた第一壁部を有し、
前記止水板は、前記第一壁部に沿う姿勢で前記第三位置に収納された、請求項１〜４のうちいずれか一つに記載の開閉装置。
【請求項６】
前記止水板は、ベース部と、前記ベース部に前記第二位置と前記第三位置との間で移動可能に支持された可動部と、を有した、請求項１に記載の開閉装置。
【請求項７】
前記ベース部には、前記床面側に向けて開放された第一凹部が設けられ、
前記可動部は、前記第一凹部に収納された前記第二位置と、前記第二位置から前記第一凹部の底部に沿って延びた第二回転中心回りに回転した姿勢に収納された前記第三位置と、の間で移動可能に構成された、請求項６に記載の開閉装置。
【請求項８】
前記ベース部には、前記床面側に向けて開放された第一凹部と、前記第一凹部の底部から前記床面とは反対側に向けて凹んだ第二凹部と、が設けられ、
前記可動部は、前記第一凹部に収納された前記第二位置と、前記第二凹部に収納された前記第三位置と、の間で前記第一方向に沿って移動可能に構成された、請求項６に記載の開閉装置。
【発明の詳細な説明】
【技術分野】
【０００１】
本発明は、開閉装置に関する。
【背景技術】
【０００２】
従来、開口部を開閉する開閉体と、開閉体を巻き取る巻取軸を有した巻取装置と、開閉体の床面側の端部と接続され、床面と当接し開閉体とともに開口部を閉じる第一位置と、床面から開閉体とともに離間し開口部を開く第二位置と、の間で移動可能に構成された止水板と、を備えた開閉装置が、知られている（例えば、特許文献１参照）。
【０００３】
特許文献１の開閉装置では、第二位置に留まった止水板によって、外観が損なわれたり、開口部が狭まったりしてしまう虞があった。そこで、止水板が第二位置から巻取軸に巻き取られた姿勢に収納可能に構成された開閉装置が、知られている（例えば、特許文献２参照）。
【先行技術文献】
【特許文献】
【０００４】
【特許文献１】実公平７−８７８５号公報
【特許文献２】特開２００８−８２０１２号公報
【発明の概要】
【発明が解決しようとする課題】
【０００５】
この種の開閉装置では、例えば、より容易に止水板を収納できたり、よりコンパクトに止水板を収納できたり等、より不都合が少なくなるよう改善された新規な構成が得られれば、有益である。
【０００６】
そこで、本発明の課題の一つは、例えば、より不都合が少なくなるよう改善された新規な開閉装置を得ることである。
【課題を解決するための手段】
【０００７】
本発明の開閉装置は、例えば、床面から離れる第一方向に沿って移動することで開口部を開閉する開閉体と、上記開閉体を巻き取る巻取軸を有した巻取装置と、上記開閉体の上記床面側の第一端部と接続され、上記床面と当接し上記開閉体とともに上記開口部を閉じる第一位置と、上記床面から上記開閉体とともに上記第一方向に離間し上記開口部を開く第二位置と、上記第二位置の姿勢とは異なりかつ上記巻取軸に巻き取られない姿勢に収納された第三位置と、の間で移動可能に構成された止水板と、を備える。このような構成によれば、例えば、止水板が巻取軸に巻き取られた姿勢に収納可能に構成された従来構造と比べて、より容易に止水板を第三位置に収納できたり、よりコンパクトに止水板を第三位置に収納できたりしうる。
【０００８】
また、上記開閉装置では、例えば、上記止水板は、上記第二位置の姿勢と交差した姿勢で上記第三位置に収納される。このような構成によれば、例えば、止水板が第三位置において第一方向によりコンパクトに収納されやすく、ひいては止水板によって外観が損なわれたり、開口部が狭まったりするのを抑制することができる。
【０００９】
また、上記開閉装置では、例えば、上記止水板は、上記開閉体に上記第一端部に沿って延びた第一回転中心回りに回転可能に接続され、上記第二位置から上記第一回転中心回りに回転した姿勢で上記第三位置に収納される。このような構成によれば、例えば、止水板が開閉体との相対的な回転（移動）によって第二位置と第三位置との間で移動可能となるため、止水板が第三位置により容易にあるいはよりコンパクトに収納されやすい。
【００１０】
また、上記開閉装置では、例えば、上記止水板の上記第一回転中心回りの回転角度を変更する角度変更機構を備える。このような構成によれば、例えば、角度変更機構によって、止水板の第二位置と第三位置との間の回転角度をより容易に、より円滑に、あるいはより確実に変更することができる。
【００１１】
また、上記開閉装置では、例えば、上記巻取装置は、上記開閉体を収納可能なケーシングを有し、上記ケーシングは、上記開閉体が出入りする開口部が設けられた第一壁部を有し、上記止水板は、上記第一壁部に沿う姿勢で上記第三位置に収納される。このような構成によれば、例えば、止水板が第三位置において第一方向により一層コンパクトに収納されやすく、ひいては止水板によって外観が損なわれたり、開口部が狭まったりするのをより確実に抑制することができる。
【００１２】
また、上記開閉装置では、例えば、上記止水板は、ベース部と、上記ベース部に上記第二位置と上記第三位置との間で移動可能に支持された可動部と、を有する。このような構成によれば、例えば、可動部がベース部および開閉体と相対的に第二位置と第三位置との間で移動可能となるため、可動部が第三位置により容易にあるいはよりコンパクトに収納されやすい。
【００１３】
また、上記開閉装置では、例えば、上記ベース部には、上記床面側に向けて開放された第一凹部が設けられ、上記可動部は、上記第一凹部に収納された上記第二位置と、上記第二位置から上記第一凹部の底部に沿って延びた第二回転中心回りに回転した姿勢に収納された上記第三位置と、の間で移動可能に構成される。このような構成によれば、例えば、可動部がベース部に対して回転可能な構成によって、第二位置の姿勢とは異なる第三位置に収納可能な止水板が実現されうる。
【００１４】
また、上記開閉装置では、例えば、上記ベース部には、上記床面側に向けて開放された第一凹部と、上記第一凹部の底部から上記床面とは反対側に向けて凹んだ第二凹部と、が設けられ、上記可動部は、上記第一凹部に収納された上記第二位置と、上記第二凹部に収納された上記第三位置と、の間で上記第一方向に沿って移動可能に構成される。このような構成によれば、例えば、可動部がベース部に対して第一方向に沿ってスライド可能な構成によって、第二位置の姿勢とは異なる第三位置に収納可能な止水板が実現されうる。
【発明の効果】
【００１５】
本発明によれば、例えば、より不都合が少なくなるよう改善された新規な開閉装置を得ることができる。
【図面の簡単な説明】
【００１６】
【図１】図１は、実施形態の開閉装置の例示的かつ模式的な正面図であって、止水板が第一位置に位置された状態の図である。
【図２】図２は、実施形態の開閉装置の例示的かつ模式的な断面図であって、止水板が第一位置に位置された状態の図である。
【図３】図３は、実施形態の開閉装置の例示的かつ模式的な断面図であって、止水板が第二位置に位置された状態の図である。
【図４】図４は、実施形態の開閉装置の例示的かつ模式的な断面図であって、止水板が第三位置に位置された状態の図である。
【図５】図５は、第１変形例の開閉装置の例示的かつ模式的な正面図であって、止水板が第二位置に位置された状態の図である。
【図６】図６は、第１変形例の開閉装置の例示的かつ模式的な断面図であって、止水板が第三位置に位置された状態の図である。
【図７】図７は、第２変形例の開閉装置の例示的かつ模式的な正面図であって、止水板が第二位置に位置された状態の図である。
【図８】図８は、第３変形例の開閉装置の例示的かつ模式的な正面図であって、止水板が第二位置に位置された状態の図である。
【図９】図９は、第３変形例の開閉装置の例示的かつ模式的な断面図であって、止水板が第三位置に位置された状態の図である。
【図１０】図１０は、第４変形例の開閉装置の例示的かつ模式的な正面図であって、止水板の可動部が第二位置に位置された状態の図である。
【図１１】図１１は、第４変形例の開閉装置の例示的かつ模式的な正面図であって、止水板の可動部が第三位置に位置された状態の図である。
【図１２】図１２は、第４変形例の開閉装置の一部の例示的かつ模式的な断面図であって、止水板の可動部が第三位置に位置された状態の図である。
【図１３】図１３は、第５変形例の開閉装置の例示的かつ模式的な正面図であって、止水板の可動部が第二位置に位置された状態の図である。
【図１４】図１４は、第５変形例の開閉装置の一部の例示的かつ模式的な断面図であって、止水板の可動部が第三位置に位置された状態の図である。
【発明を実施するための形態】
【００１７】
以下、本発明の例示的な実施形態および変形例が開示される。以下に示される実施形態および変形例の構成、ならびに当該構成によってもたらされる作用および効果は、一例である。本発明は、以下の実施形態および変形例に開示される構成以外によっても実現可能である。また、本発明によれば、構成によって得られる種々の効果（派生的な効果も含む）のうち少なくとも一つを得ることが可能である。
【００１８】
また、以下に開示される実施形態および変形例には、同様の構成要素が含まれる。よって、以下では、それら同様の構成要素には共通の符号が付与されるとともに、重複する説明が省略される。なお、本明細書では、序数は、部品や、部材、部位、位置、方向等を区別するためだけに用いられており、順番や優先度を示すものではない。
【００１９】
［実施形態］
図１は、開閉装置１の正面図であって、止水板４が第一位置Ｐ１に位置された状態の図であり、図２は、開閉装置１の断面図であって、止水板４が第一位置Ｐ１に位置された状態の図である。図３，４は、開閉装置１の断面図であって、図３は、止水板４が第二位置Ｐ２に位置された状態の図であり、図４は、止水板４が第三位置Ｐ３に位置された状態の図である。第一位置Ｐ１は、閉塞位置（閉位置）や、全閉位置等とも称される。第二位置Ｐ２は、第一開放位置（開位置）や、全開前位置、収納前位置等とも称される。第三位置Ｐ３は、第二開放位置や、全開位置、収納位置等とも称される。
【００２０】
図１，２に示されるように、開閉装置１は、例えば、構造物１００に設けられた開口部１０１を開閉可能に覆うシャッター装置である。開閉装置１は、シャッターカーテン３（開閉体）と、止水板４と、ガイドレール５と、巻取装置６と、を備えている。構造物１００は、例えば、車庫や、工場、倉庫、ビル、店舗、住宅等の建築構造物であり、開口部１０１を介して自動車等の車両や人間等が出入りしうる。
【００２１】
なお、以下の各図では、便宜上、互いに直交する三方向が定義されている。Ｘ方向は、止水板４の厚さ方向（前後方向）に沿うとともに、開口部１０１の開口方向（貫通方向）に沿う。Ｙ方向は、止水板４の幅方向（左右方向、長手方向）に沿うとともに、開口部１０１の幅方向に沿う。Ｚ方向は、止水板４の高さ方向（上下方向、短手方向）に沿うとともに、開口部１０１の高さ方向に沿う。
【００２２】
また、以下の説明では、開口部１０１を介してＸ方向の一方の空間から他方の空間へ水が浸入する可能性がある場合のＸ方向の他方（下流側）が屋内側と定義され、Ｘ方向の一方（上流側）が屋外側と定義される。すなわち、屋内側とは、止水板４によって水の浸入を防止（阻止、抑制）したい側であり、屋外側とは、浸入可能性のある水が流れてくる側のことである。また、以下の説明では、床面１０２とは、開口部１０１の下方に位置する面を意味する便宜上の文言であり、通常の床面１０２に限らず、コンクリート面や地面等を含むものとする。
【００２３】
図２〜４に示されるように、シャッターカーテン３は、開口部１０１を開閉可能に覆っている。シャッターカーテン３は、止水板４とともにＺ方向に沿って移動することで開口部１０１を開閉する。シャッターカーテン３（開口部１０１）の開方向は、図１〜４の上方向（Ｚ方向）、すなわち床面１０２から離れる方向であり、閉方向は、図１〜４の下方向、すなわち床面１０２に近付く方向である。シャッターカーテン３は、開閉体の一例であり、Ｚ方向は、第一方向の一例である。
【００２４】
シャッターカーテン３は、床面１０２側に位置され止水板４と接続された下端部３ａと、下端部３ａとは反対側に位置され巻取装置６の巻取軸１２（図２参照）と接続された上端部３ｂと、を有している。シャッターカーテン３は、例えば、複数の帯板状のスラットをＺ方向に連接したスラット連接体等によって構成されうる。下端部３ａは、第一端部の一例である。
【００２５】
止水板４は、シャッターカーテン３と床面１０２との間に設けられている。止水板４は、例えば、Ｘ方向に所定の厚さを有し、Ｙ方向およびＺ方向に沿って延びるとともに、Ｙ方向に横長な直方体状に構成されている。止水板４は、防錆性を有する板状の金属材を加工してパネル状に構成されている。
【００２６】
止水板４は、床面１０２と面した下端部４ａと、下端部４ａとは反対側に位置されシャッターカーテン３と接続された上端部４ｂと、を有している。本実施形態では、止水板４は、シャッターカーテン３と一体に、開口部１０１を閉じる第一位置Ｐ１（図２参照）と、開口部１０１を開く第二位置Ｐ２（図３参照）と、後述する巻取装置６に収納される第三位置Ｐ３（図４参照）と、の間で移動可能に構成されている。
【００２７】
図１，２に示されるように、止水板４が第一位置Ｐ１に位置された状態では、下端部４ａと床面１０２とが当接し、シャッターカーテン３とともに開口部１０１が閉じられる。これにより、下端部４ａと床面１０２との間がシールされ、開口部１０１を介した屋内側への雨水等の水の浸入が、防止（阻止、抑制）される。なお、止水板４の下端部４ａには、床面１０２と当接する止水ゴム等のシール部材が設けられてもよい。
【００２８】
また、図３に示されるように、止水板４が第二位置Ｐ２に位置された状態では、下端部４ａが床面１０２からシャッターカーテン３とともにＺ方向に離間する。これにより、開口部１０１の少なくとも一部が開放される。第二位置Ｐ２は、例えば、止水板４が巻取装置６の下方に隣接（近接）した位置である。止水板４は、第一位置Ｐ１および第二位置Ｐ２に位置された状態では、同じＺ方向に沿った姿勢である。このため、第二位置Ｐ２では、巻取装置６の下方に露出した止水板４によって、開口部１０１のうち上方の一部の領域が塞がれる。
【００２９】
図１に示されるように、ガイドレール５は、シャッターカーテン３および止水板４のＹ方向の両端部に設けられている。ガイドレール５は、例えば、Ｙ方向の中央部側に向けて開放された略Ｕ字状の断面を有し、床面１０２と巻取装置６との間に亘ってＺ方向に直線状に延びている。ガイドレール５は、シャッターカーテン３および止水板４をＺ方向に沿ってスライド可能に支持する。
【００３０】
巻取装置２は、シャッターカーテン３およびガイドレール５の上方（Ｚ方向）に設けられている。図１，２に示されるように、巻取装置６は、例えば、シャッターケース１１や、巻取軸１２、開閉機１３、支持部１４、動力伝達機構１５等を有している。巻取装置２は、構造物１００における躯体１０３の屋内側のスペースに設置されている。躯体１０３は、天井部材等とも称される。なお、図１では、便宜上、躯体１０３は、図示省略されている。
【００３１】
シャッターケース１１は、例えば、Ｙ方向に横長な直方体状の箱型に構成されている。シャッターケース１１には、巻取軸１２や、開閉機１３、支持部１４、動力伝達機構１５、シャッターカーテン３等が収容されている。
【００３２】
また、本実施形態では、シャッターケース１１には、止水板４が収納可能に構成されている。具体的には、止水板４は、第一位置Ｐ１（図２参照）および第二位置Ｐ２（図３参照）では、シャッターケース１１外に位置され、第三位置Ｐ３（図４参照）では、シャッターケース１１内に位置される。
【００３３】
また、シャッターケース１１には、シャッターカーテン３および止水板４が出入りする開口部１１ａ１が設けられている。開口部１１ａ１は、シャッターケース１１の底壁１１ａをＺ方向に貫通するとともに、止水板４に沿ってＹ方向に細長く延びた長穴である。開口部１１ａ１のＹ方向の両端部は、ガイドレール５とＺ方向に並んでいる。シャッターケース１１は、ケーシングの一例であり、底壁１１ａは、第一壁部の一例である。
【００３４】
巻取軸１２は、シャッターケース１１にＹ方向に沿った回転中心Ａｘ１回りに回転可能に支持されている。巻取軸１２には、シャッターカーテン３の上端部３ｂが接続されている。巻取軸１２は、回転中心Ａｘ１回りに回転することで、シャッターケース１１内にシャッターカーテン３を巻き取って収納したり、シャッターケース１１外にシャッターカーテン３を引き出したりする。
【００３５】
開閉機１３は、例えば、駆動源としてのモータや、巻取軸１２の回転を制動するブレーキ機構、モータおよびブレーキ機構を制御する制御部等を有している。開閉機１３は、チェーンやスプロケット等を含む動力伝達機構１５を介して、巻取軸１２と接続されている。これにより、開閉機１３から巻取軸１２に駆動力が伝達される。
【００３６】
支持部１４は、例えば、Ｙ方向に沿って延びたコンベアローラ等の回転体である。支持部１４は、シャッターケース１１にＹ方向に沿った回転中心Ａｘ２回りに回転可能に支持されている。支持部１４には、シャッターカーテン３がスライド可能に掛け回されている。支持部１４は、回転中心Ａｘ２回りに回転することで、シャッターカーテン３の閉方向への移動および開方向への移動をガイドする。
【００３７】
また、本実施形態では、支持部１４は、Ｘ方向において、巻取軸１２と開口部１１ａ１（ガイドレール５）との間に位置されている。また、支持部１４は、巻取軸１２よりも上方に位置されている。これにより、止水板４は、第二位置Ｐ２（図３参照）からシャッターケース１１内に引き入れられた場合に（図４参照）、支持部１４と開口部１１ａ１との間のスペースに、Ｚ方向に対して交差（傾斜）した姿勢で第三位置Ｐ３に収納される。言い換えると、止水板４は、第三位置Ｐ３において、第二位置Ｐ２の姿勢とは異なりかつ巻取軸１２に巻き取られない姿勢に収納されている。
【００３８】
図４に示されるように、止水板４が第三位置Ｐ３に位置された状態では、下端部４ａがＺ方向に対して交差（傾斜）した姿勢で開口部１１ａ１の縁部に支持されている。これにより、止水板４が開口部１１ａ１の縁部およびガイドレール５から外れるのが抑制され、ひいては止水板４の閉方向への移動および開方向への移動がよりスムーズに行われやすい。
【００３９】
また、止水板４は、第三位置Ｐ３に位置された状態では、シャッターケース１１内に収納される。これにより、開口部１０１が全開状態となる。よって、本実施形態によれば、例えば、止水板４によって外観が損なわれたり、開口部１０１が狭まったりするのが抑制され、ひいては開口部１０１を通る自動車等の車両と止水板４との干渉（接触）を抑制することができる。
【００４０】
以上のように、本実施形態では、例えば、止水板４は、床面１０２と当接しシャッターカーテン３（開閉体）とともに開口部１０１を閉じる第一位置Ｐ１と、床面１０２からシャッターカーテン３とともにＺ方向（第一方向）に離間し開口部１０１を開く第二位置Ｐ２と、第二位置Ｐ２の姿勢とは異なりかつ巻取軸１２に巻き取られない姿勢に収納された第三位置Ｐ３と、の間で移動可能に構成されている。このような構成によれば、例えば、止水板４が巻取軸１２に巻き取られた姿勢に収納可能に構成された従来構造と比べて、より容易に止水板４を第三位置Ｐ３に収納できたり、よりコンパクトに止水板４を第三位置Ｐ３に収納できたりしうる。
【００４１】
また、本実施形態では、例えば、止水板４は、第二位置Ｐ２の姿勢と交差した姿勢で第三位置Ｐ３に収納される。このような構成によれば、例えば、止水板４が第三位置Ｐ３においてＺ方向によりコンパクトに収納されやすく、ひいては止水板４によって外観が損なわれたり、開口部１０１が狭まったりするのを抑制することができる。
【００４２】
［第１変形例］
図５は、本変形例の開閉装置１Ａの正面図であって、止水板４が第二位置Ｐ２に位置された状態の図であり、図６は、本変形例の開閉装置１Ａの断面図であって、止水板４が第三位置Ｐ３に位置された状態の図である。開閉装置１Ａは、上記実施形態の開閉装置１と同様の構成を備えている。よって、開閉装置１は、当該同様の構成に基づく上記実施形態と同様の作用および効果を得ることができる。
【００４３】
ただし、本変形例では、図６に示されるように、止水板４がシャッターカーテン３にＹ方向に沿って延びる回転中心Ａｘ３を有したヒンジ８を介して回転可能に接続されている点が、上記実施形態と相違している。本変形例では、止水板４は、ヒンジ８の回転中心Ａｘ３回りに回転することで、第二位置Ｐ２から第三位置Ｐ３に収納可能に構成されている。すなわち、止水板４は、シャッターカーテン３と一体に、第一位置Ｐ１（図２参照）と、第二位置Ｐ２と、の間で移動可能であるとともに、シャッターカーテン３と相対的に、第二位置Ｐ２と、第三位置Ｐ３と、の間で移動可能である。回転中心Ａｘ３は、第一回転中心の一例である。
【００４４】
また、シャッターケース１１には、止水板４を収納可能な収納部１１ｂが設けられている。収納部１１ｂは、例えば、底壁１１ａから床面１０２とは反対側（Ｚ方向）に向けて凹み、床面１０２側に向けて開放された凹部である。本変形例では、止水板４は、収納部１１ｂにＺ方向と交差（直交）した姿勢、すなわち底壁１１ａに沿った姿勢で、収納される。言い換えると、止水板４は、第二位置Ｐ２の姿勢とは異なりかつ巻取軸１２に巻き取られない姿勢で第三位置Ｐ３に収納される。なお、収納部１１ｂの底部であって第三位置Ｐ３の止水板４とＸ方向にずれた位置には、シャッターカーテン３が出入りする開口部１１ａ１が設けられている。
【００４５】
また、図５に示されるように、ガイドレール５の上端部には、一対の可動アーム７が設けられている。可動アーム７は、第二位置Ｐ２に位置された止水板４のＹ方向の両端部を支持することができる。可動アーム７は、例えば、ガイドレール５および開閉機９に、第二位置Ｐ２に対応した垂直位置Ｐ１１（図６参照）と、第三位置Ｐ３に対応した跳上位置Ｐ１２と、の間で移動可能に支持されている。垂直位置Ｐ１１は、第四位置や垂直姿勢等とも称され、跳上位置Ｐ１２は、第五位置や跳上姿勢等とも称される。
【００４６】
止水板４は、可動アーム７が開閉機９から伝達される駆動力によって垂直位置Ｐ１１と跳上位置Ｐ１２との間で移動するのに連動して、ヒンジ８の回転中心Ａｘ３回りに第二位置Ｐ２と第三位置Ｐ３との間で移動（回転）することができる。可動アーム７および開閉機９は、角度変更機構の一例である。なお、本変形例では、第三位置Ｐ３が第二位置Ｐ２に対して９０°の角度である場合が例示されたが、この例には限定されず、その他の角度であってもよい。また、第三位置Ｐ３は、第二位置Ｐ２に対して屋内側には限定されず、屋外側であってもよい。
【００４７】
開閉機９は、例えば、駆動源としてのモータや、モータを制御する制御部等を有している。制御部は、例えば、作業者による操作ボタンが押されたことを検出した場合等に、可動アーム７が垂直位置Ｐ１１と跳上位置Ｐ１２との間で移動するよう、モータを制御することができる。なお、ガイドレール５には、止水板４および可動アーム７が出入りする開口部（切欠部）が設けられうる。
【００４８】
以上のように、本変形例では、止水板４は、シャッターカーテン３に下端部３ａ（Ｙ方向）に沿って延びた回転中心Ａｘ３回りに回転可能に接続され、第二位置Ｐ２から回転中心Ａｘ３回りに回転した姿勢で第三位置Ｐ３に収納されている。このような構成によれば、例えば、止水板４がシャッターカーテン３との相対的な回転（移動）によって第二位置Ｐ２と第三位置Ｐ３との間で移動可能となるため、止水板４が第三位置Ｐ３により容易にあるいはよりコンパクトに収納されやすい。
【００４９】
また、本変形例では、開閉装置１Ａは、止水板４の回転中心Ａｘ３回りの回転角度を変更する可動アーム７および開閉機９を備えている。このような構成によれば、例えば、可動アーム７および開閉機９によって、止水板４の第二位置Ｐ２と第三位置Ｐ３との間の回転角度をより容易に、より円滑に、あるいはより確実に変更することができる。
【００５０】
また、本変形例では、止水板４は、シャッターケース１１の底壁１１ａに沿う姿勢で第三位置Ｐ３に収納されている。このような構成によれば、例えば、止水板４が第三位置Ｐ３においてＺ方向により一層コンパクトに収納されやすく、ひいては止水板４によって外観が損なわれたり、開口部１０１が狭まったりするのをより確実に抑制することができる。なお、止水板４は、図６とは反対の躯体１０３側に跳ね上げられて、収納されるようにしてもよい。
【００５１】
［第２変形例］
図７は、本変形例の開閉装置１Ｂの正面図であって、止水板４が第二位置Ｐ２に位置された状態の図である。開閉装置１Ｂは、上記第１変形例の開閉装置１Ａと同様の構成を備えている。よって、開閉装置１Ｂは、当該同様の構成に基づく上記第１変形例と同様の作用および効果を得ることができる。
【００５２】
ただし、本変形例では、図７に示されるように、止水板４が可動リンク７Ａに第二位置Ｐ２と第三位置Ｐ３（図６参照）との間で移動可能に支持されている点が、上記第１変形例と相違している。可動リンク７Ａは、例えば、止水板４のＹ方向の両端部を支持する一対のアーム部７ａと、一対のアーム部７ａの間に亘った接続部７ｂと、を有している。
【００５３】
本変形例では、例えば、可動リンク７Ａの接続部７ｂが不図示のアクチュエータ等の開閉機に押されることで、第二位置Ｐ２に対応した垂直位置Ｐ１１と、第三位置Ｐ３に対応した跳上位置Ｐ１２（図６参照）と、の間で移動可能に構成されている。可動リンク７Ａおよびアクチュエータは、角度変更機構の一例である。
【００５４】
このように、本変形例によれば、例えば、可動リンク７Ａによって、止水板４の第二位置Ｐ２と第三位置Ｐ３（図６参照）との間の回転角度をより容易に、より円滑に、あるいはより確実に変更することができる。
【００５５】
［第３変形例］
図８は、本変形例の開閉装置１Ｃの正面図であって、止水板４が第二位置Ｐ２に位置された状態の図であり、図９は、本変形例の開閉装置１Ｃの断面図であって、止水板４が第三位置Ｐ３に位置された状態の図である。開閉装置１Ｃは、上記第１変形例の開閉装置１Ａと同様の構成を備えている。よって、開閉装置１Ｃは、当該同様の構成に基づく上記第１変形例と同様の作用および効果を得ることができる。
【００５６】
ただし、本変形例では、図８，９に示されるように、止水板４を跳ね上げる跳上機構１０が設けられている点が、上記第１変形例と相違している。跳上機構１０は、例えば、チェーンブロック等であり、先端部の不図示のフックが止水板４のＹ方向の中央部に引っ掛けられている。本変形例では、作業者によって跳上機構１０のチェーン１０ａが引っ張られることにより、止水板４が第二位置Ｐ２と第三位置Ｐ３（図９参照）との間で移動可能に構成されている。止水板４は、例えば、チェーン１０ａの操作が停止された場合に作用する跳上機構１０のブレーキ装置等によって、第二位置Ｐ２や第三位置Ｐ３等で保持される。跳上機構１０は、角度変更機構の一例である。
【００５７】
このように、本変形例によれば、跳上機構１０が設けられているため、例えば、跳上機構１０によって、止水板４の第二位置Ｐ２と第三位置Ｐ３との間の回転角度をより容易に、より円滑に、あるいはより確実に変更することができる。なお、跳上機構１０は、この例には限定されず、例えば、チェーン１０ａを巻き取るハンドルやレバー等の操作部を有していてもよい。
【００５８】
［第４変形例］
図１０，１１は、本変形例の開閉装置１Ｄの正面図であって、図１０は、止水板４Ａの可動部４２が第二位置Ｐ２に位置された状態の図であり、図１１は、止水板４Ａの可動部４２が第三位置Ｐ３に位置された状態の図である。図１２は、本変形例の開閉装置１Ｄの一部の断面図であって、止水板４Ａの可動部４２が第三位置Ｐ３に位置された状態の図である。開閉装置１Ｄは、上記実施形態の開閉装置１と同様の構成を備えている。よって、開閉装置１Ｄは、当該同様の構成に基づく上記実施形態と同様の作用および効果を得ることができる。
【００５９】
ただし、本変形例では、図１０〜１２に示されるように、止水板４Ａがベース部４１と可動部４２とを有している点が、上記実施形態と相違している。ベース部４１には、止水板４Ａの下端部４ａから床面１０２とは反対側（Ｚ方向）に向けて凹み、床面１０２側に向けて開放された凹部４３が設けられている。ベース部４１は、凹部４３によって床面１０２側に向けて開放された略Ｕ字状に構成されている。可動部４２は、凹部４３の底部に沿ってＹ方向に延びた長方形状の板状に構成されている。凹部４３は、第一凹部の一例である。
【００６０】
図１２に示されるように、可動部４２は、ベース部４１にＹ方向に沿って延びる回転中心Ａｘ４を有したヒンジ１８を介して回転可能に接続されている。可動部４２は、ヒンジ１８の回転中心Ａｘ４回りに回転することで、凹部４３に収納された第二位置Ｐ２と、凹部４３の外側に跳ね上げられた第三位置Ｐ３と、の間で移動可能に構成されている。言い換えると、可動部４２は、第三位置Ｐ３において、第二位置Ｐ２の姿勢（状態、態様、形態）とは異なりかつ巻取軸１２に巻き取られない姿勢に収納されている。回転中心Ａｘ４は、第二回転中心の一例である。
【００６１】
可動部４２は、シャッターカーテン３と一体に、第一位置Ｐ１（図２参照）と、第二位置Ｐ２と、の間で移動可能であるとともに、シャッターカーテン３と相対的に、第二位置Ｐ２と、第三位置Ｐ３と、の間で移動可能である。本変形例では、可動部４２は、第三位置Ｐ３に位置された状態では、ベース部４１の屋内側を向いた面と重ねられ、クリップ等の固定具１９によってベース部４１に固定されている。
【００６２】
また、図１０に示されるように、止水板４Ａには、可動部４２を第二位置Ｐ２で保持する固定具１７が設けられている。固定具１７は、例えば、グレモン錠等である。本変形例では、例えば、止水板４Ａが第一位置Ｐ１や第一位置Ｐ１の近傍に位置された状態で、固定具１７の固定を解除するとともに可動部４２を回転させて第三位置Ｐ３に固定し、止水板４Ａを上方（第二位置Ｐ２）へと移動させる。これにより、図１１に示されるように、開口部１０１を少なくとも部分的に広げることができる。
【００６３】
また、本変形例では、ベース部４１と可動部４２との間に、止水ゴム等のシール部材１６（図１１参照）が設けられている。シール部材１６は、凹部４３の底部や側部等を含む縁部に沿って延びている。これにより、止水板４Ａが第一位置Ｐ１に位置された通常使用時における、凹部４３の縁部を介した屋内側への雨水等の水の浸入が、防止（阻止、抑制）されている。
【００６４】
なお、本変形例では、止水板４Ａが二つの分割体によって構成された場合が例示されたが、この例には限定されず、三つ以上の分割体によって構成されてもよい。また、本変形例では、可動部４２の第三位置Ｐ３（図１２参照）が第二位置Ｐ２に対して略１８０°の角度である場合が例示されたが、この例には限定されず、その他の角度であってもよい。また、第三位置Ｐ３は、第二位置Ｐ２に対して屋内側には限定されず、屋外側であってもよい。
【００６５】
以上のように、本変形例では、止水板４Ａは、ベース部４１と、ベース部４１に第二位置Ｐ２と第三位置Ｐ３との間で移動可能に支持された可動部４２と、を有する。このような構成によれば、例えば、可動部４２がベース部４１およびシャッターカーテン３と相対的に第二位置Ｐ２と第三位置Ｐ３との間で移動可能となるため、可動部４２が第三位置Ｐ３により容易にあるいはよりコンパクトに収納されやすい。
【００６６】
また、本変形例では、ベース部４１には、床面１０２側に向けて開放された凹部４３が設けられ、可動部４２は、凹部４３に収納された第二位置Ｐ２と、第二位置Ｐ２から回転中心Ａｘ４回りに回転した姿勢に収納された第三位置Ｐ３と、の間で移動可能に構成されている。このような構成によれば、例えば、可動部４２がベース部４１に対して回転可能な構成によって、第二位置Ｐ２の姿勢とは異なる第三位置Ｐ３に収納可能な止水板４Ａが実現されうる。
【００６７】
［第５変形例］
図１３は、本変形例の開閉装置１Ｅの正面図であって、止水板４Ｂが第二位置Ｐ２に位置された状態の図であり、図１４は、本変形例の開閉装置１Ｅの一部の断面図であって、止水板４Ｂが第三位置Ｐ３に位置された状態の図である。開閉装置１Ｅは、上記第４変形例の開閉装置１Ｄと同様の構成を備えている。よって、開閉装置１Ｅは、当該同様の構成に基づく上記第４変形例と同様の作用および効果を得ることができる。
【００６８】
ただし、本変形例では、図１３，１４に示されるように、ベース部４１に可動部４２を収納可能な二つの凹部４３，４４が設けられている点が、上記第４変形例と相違している。凹部４４は、凹部４３の底部から床面１０２とは反対側（Ｚ方向）に向けて凹み、床面１０２側に向けて開放されている。本変形例では、凹部４４のＸ方向に沿った幅は、可動部４２のＸ方向に沿った幅と略同じかあるいは僅かに広く、凹部４３のＸ方向に沿った幅よりも狭い。凹部４４は、凹部４３のＸ方向の中央部に位置されている。凹部４３は、第一凹部の一例であり、凹部４４は、第二凹部の一例である。
【００６９】
本変形例では、可動部４２は、凹部４３に収納された第二位置Ｐ２と、凹部４４に収納された第三位置Ｐ３と、の間でＺ方向に沿って移動可能（突没可能）に構成されている。言い換えると、可動部４２は、第三位置Ｐ３において、第二位置Ｐ２の姿勢（状態、態様、形態）とは異なりかつ巻取軸１２に巻き取られない姿勢に収納されている。可動部４２は、例えば、不図示のクリップ等の固定具によって、第三位置Ｐ３に固定されている。
【００７０】
また、止水板４Ｂには、可動部４２を第二位置Ｐ２で保持する固定具１７（図１３参照）が設けられている。本変形例においても、例えば、止水板４Ｂが第一位置Ｐ１や第一位置Ｐ１の近傍に位置された状態で、固定具１７の固定を解除するとともに可動部４２をスライドさせて第三位置Ｐ３に固定し、止水板４Ｂを上方（第二位置Ｐ２）へと移動させる。これにより、開口部１０１を少なくとも部分的に広げることができる。
【００７１】
また、図１４に示されるように、可動部４２は、第二位置Ｐ２および第一位置Ｐ１に位置された状態では、ベース部４１の屋外側の面とＺ方向に並ぶように構成されている。これにより、止水板４Ｂが第一位置Ｐ１に位置された通常使用時における、凹部４３の縁部を介した屋内側への雨水等の水の浸入が、防止（阻止、抑制）されている。なお、可動部４２は、例えば、不図示のコイルスプリング等の付勢部材によって、屋外側に付勢されうる。
【００７２】
以上のように、本変形例では、ベース部４１には、床面１０２側に向けて開放された凹部４３と、凹部４３の底部から床面１０２とは反対側に向けて凹んだ凹部４４と、が設けられ、可動部４２は、凹部４３に収納された第二位置Ｐ２と、凹部４４に収納された第三位置Ｐ３と、の間でＺ方向に沿って移動可能に構成されている。このような構成によれば、例えば、可動部４２がベース部４１に対してＺ方向に沿ってスライド可能な構成によって、第二位置Ｐ２の姿勢とは異なる第三位置Ｐ３に収納可能な止水板４Ｂが実現されうる。
【００７３】
以上、本発明の実施形態および変形例が例示されたが、上記実施形態および変形例は一例であって、発明の範囲を限定することは意図していない。上記実施形態および変形例は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００７４】
１，１Ａ〜１Ｅ…開閉装置、３…シャッターカーテン（開閉体）、３ａ…下端部（第一端部）、４，４Ａ，４Ｂ…止水板、６…巻取装置、７…可動アーム（角度変更機構）、９…開閉機（角度変更機構）、１０…跳上機構（角度変更機構）、１１…シャッターケース（ケーシング）、１１ａ…底壁（第一壁部）、１２…巻取軸、４１…ベース部、４２…可動部、４３…凹部（第一凹部）、４４…凹部（第二凹部）、１０１…開口部、１０２…床面、Ａｘ３…回転中心（第一回転中心）、Ａｘ４…回転中心（第二回転中心）、Ｐ１…第一位置、Ｐ２…第二位置、Ｐ３…第三位置、Ｚ…第一方向。
【図１】
2020020236.tif 000003
【図２】
2020020236.tif 000004
【図３】
2020020236.tif 000005
【図４】
2020020236.tif 000006
【図５】
2020020236.tif 000007
【図６】
2020020236.tif 000008
【図７】
2020020236.tif 000009
【図８】
2020020236.tif 000010
【図９】
2020020236.tif 000011
【図１０】
2020020236.tif 000012
【図１１】
2020020236.tif 000013
【図１２】
2020020236.tif 000014
【図１３】
2020020236.tif 000015
【図１４】
2020020236.tif 000016